(57)【要約】【課題】照度が足りず調理作業をし難いときは、照明器具を手元に近付けて明るくし、容易に調理できるように配慮した照明付吊り戸棚を提供する。【解決手段】左右側板８１、８２間に棚板７が架設された吊り戸棚であって、該棚板７の下面から仕切り板を垂設し、この垂下仕切り板６と左右いずれかの側板との間に形成され下方を開放した仕切空間４に照明取付板１を上下昇降自在に取り付け、該照明取付板１の下面１１には照明器具２が取り付けられるとともに、該照明取付板１の上方は配線収納部１２とされた照明付吊り戸棚Ａ。【選択図】図１
2008000494.tif 000002
【特許請求の範囲】
【請求項１】
左右側板間に棚板が架設された吊り戸棚であって、該棚板の下面から仕切り板を垂設し、この垂下仕切り板と左右いずれかの側板との間に形成され下方を開放した仕切空間に照明取付板を上下昇降自在に取り付け、該照明取付板の下面には照明器具が取り付けられるとともに、該照明取付板の上方は配線収納部とされた照明付吊り戸棚。
【請求項２】
上記仕切空間と反対側の側板の下端部と垂下仕切り板の下端部とを底板で連結して小物収納部を形成してなる請求項１に記載の照明付吊り戸棚。
【請求項３】
上記吊り戸棚自体が上下移動自在とされた請求項１に記載の照明付吊り戸棚。
【発明の詳細な説明】
【技術分野】
【０００１】
本発明は、吊り戸棚に関する。さらに詳しくは、キッチンで用いられ、吊り戸棚の下方の調理スペースを照明する照明器具を内設する吊り戸棚の構造に関する。
【背景技術】
【０００２】
従来から、調理をし易いように手元を照明するための照明器具を備えた吊り戸棚は公知であり、例えば、本願図４の概略断面図に示すように、吊り戸棚をその背面が室内の壁面に沿い、かつ、上面が天井に沿うように取り付けるとともに、地板の下面に照明器具を備えた照明付吊り戸棚Ｃが知られている。また、下記特許文献１には、箱状の吊り戸棚の背面を壁面に沿わせて天井近くに取り付け、吊り戸棚の地板の下面側に照明器具を装着し、地板の上面側に棚板本体と垂直前面板部からなる断面逆Ｌ字型の棚板を配置し、この棚板と地板との間の空間を配線スペ−スとした照明付吊り戸棚が開示されている。
【特許文献１】特開平１０−５７１６６号公報（第１〜３頁、第１図、第２図）
【発明の開示】
【発明が解決しようとする課題】
【０００３】
上記した従来技術においては、照明器具への配線が外観上見えないようにデザイン性を向上させた照明付吊り戸棚が開示されている。しかしながら、いずれの技術においても照明器具は地板の下面に固定されているため、細かい調理をするときや、視覚の衰えた高齢者等が料理をつくるときは、地板とキッチンカウンター等のキッチンスペースとの間に距離があるため、照度が不足して作業をし難いという問題がある。
【０００４】
本発明は、このような問題を解決して、照度が足りず調理作業をし難いときは、照明器具を手元に近付けて明るくし、容易に調理できるように配慮した照明付吊り戸棚を提供することを、その課題とする。
【課題を解決するための手段】
【０００５】
上記課題を解決するため、本発明においては、つぎのような技術的手段を講じている。すなわち、請求項１に記載の発明によれば、左右側板間に棚板が架設された吊り戸棚であって、該棚板の下面から仕切り板を垂設し、この垂下仕切り板と左右いずれかの側板との間に形成され下方を開放した仕切空間に照明取付板を上下昇降自在に取り付け、該照明取付板の下面には照明器具が取り付けられるとともに、該照明取付板の上方は配線収納部とされた照明付吊り戸棚が提供される。
【０００６】
上記照明取付板を昇降させるための方法としては公知の方法が用いられ、例えば、照明取付板の左右側面を垂下仕切り板と左右いずれかの側板とに摩擦圧接し、昇降自在に架設する方法、カウンターウエイトを用いて重量バランスにより昇降させる方法等をあげることができる。また、上記配線収納部の手前側には、収納された配線を目隠しするためのカバーを設けてもよい。好ましくは、照明取付板の昇降に連動するフレキシブルな構造を有するものが用いられる。
【０００７】
請求項２に記載の照明付吊り戸棚は、請求項１に記載の発明に加えて、上記仕切空間と反対側の側板の下端部と垂下仕切り板の下端部とを底板で連結して小物収納部が形成される。
【０００８】
請求項３に記載の照明付吊り戸棚は、請求項１に記載の発明に加えて、上記吊り戸棚自体が上下移動自在とされる。上下に移動する方法としてはとくに限定されず、例えば、照明付吊り戸棚の両側面をスライドレールによってスライド自在に支持する方法、バネ弾性を利用して跳ね上げ式に上下する方法等をあげることができる。
【発明の効果】
【０００９】
請求項１に記載の発明にかかる照明付吊り戸棚は上記のとおりであり、左右側板間に棚板が架設された吊り戸棚の該棚板の下面から仕切り板を垂設し、この垂下仕切り板と左右いずれかの側板との間に形成され下方を開放した仕切空間に、下面に照明器具が取着された照明取付板が上下昇降自在に取り付けられているため、照明が足りず、暗いときは照明取付板を引き下ろし、照明器具を近付けて手元を照らせば、細かい調理を作業性よく行うことができる。
【００１０】
請求項２に記載の照明付吊り戸棚は上記のとおりであり、請求項１の照明付吊り戸棚の有する効果に加え、上記仕切空間と反対側の側板の下端部と垂下仕切り板の下端部とを底板で連結して小物収納部が形成されるため、調味料、香辛料等、小型調理器具等、種々の調理用の小物を収納することができる。
【００１１】
請求項３に記載の照明付吊り戸棚は上記のとおりであり、請求項１の照明付吊り戸棚の有する効果に加え、上記吊り戸棚自体が上下移動自在とされているため、吊り戸棚自体を上下に移動して所望の高さとし、さらに、照明取付板を昇降させて最も手元を照らし易いように照明器具の位置を調整することができる。その結果、細かい調理をするときや、視覚の衰えた高齢者等が作業性よく、容易に調理を行うことができる。
【発明を実施するための最良の形態】
【００１２】
以下、本発明の実施形態について図面を参照して詳細に説明する。図１は本発明の第１実施形態にかかる照明付吊り戸棚Ａを示す正面図である。図１に示すように、上記照明付吊り戸棚Ａは、箱形の形状をしており、左側板８１と右側板８２との間には棚板７が架設されている。この棚板７の下面の所定位置から下方に向けて仕切り板が垂設され、この垂下仕切り板６と右側板８２との間に形成され、下方が開放した仕切空間４には、照明取付板１が上下昇降自在に架設されている。また、上記垂下仕切り板６と左側板８１とはそれらの下端で底板５によって連結され、小物収納部Ｓを形成する。
【００１３】
図１に示すように、上記仕切空間４に架設された照明取付板１の下面１１には照明器具２が取り付けられ、照明取付板１の上方空間は配線３を収納する配線収納部１２とされている。上記照明取付板１を昇降させる方法としては公知の方法、例えば、照明取付板１の左右側面をバネ等の圧縮手段を介して垂下仕切り板６と右側板８２とに圧接し摩擦移動する方法、カウンターウエイトを用い、重量バランスを利用して昇降させる方法等が用いられる。図１において、照明が足りず、暗いときは照明取付板１を引き下ろし照明器具２を手元に引き寄せて照らせば、細かい調理作業を作業性よく行うことができる。また、視力の衰えた高齢者等が容易に料理をつくることができる。
【００１４】
図２は本発明の第２実施形態にかかる照明付吊り戸棚Ｂを示す正面図である。図３は上記照明付吊り戸棚Ｂを壁面Ｗに沿わせて上下移動自在に取り付けた状態を示す側面図である。図２、図３に示されているように、本実施形態においては、照明付吊り戸棚Ｂ自体が壁面Ｗに固定されたスライドレール９に沿って上下移動自在とされている。また、図２に示すように、本実施形態においては配線収納部１２に収納された配線３を目隠しするためのカバー１２１が取り付けられている。このカバー１２１は下端部が照明取付板１に結合され、照明取付板１の上下の動きに従って連動するフレキシブルな構造を有するもの、例えば、蛇腹構造のもの等を用いることができる。
【００１５】
上記第２実施形態にかかる照明付吊り戸棚Ｂを使用するときは、照明付吊り戸棚Ｂ自体を上下にスライド移動して所望の高さとし、さらに、照明取付板１を昇降させて最も手元を照らし易いように照明器具２の位置を調整することができる。かくして、細かい調理をするときや、視覚の衰えた高齢者等が作業性よく、容易に調理をすることができる。
【図面の簡単な説明】
【００１６】
【図１】本発明の第１実施形態にかかる照明付吊り戸棚を示す正面図である。
【図２】本発明の第２実施形態にかかる照明付吊り戸棚を示す正面図である。
【図３】本発明の第２実施形態にかかる照明付吊り戸棚を示す側面図である。
【図４】公知の照明付吊り戸棚を示す概略側面図である。
【符号の説明】
【００１７】
Ａ          本発明の第１実施形態にかかる照明付吊り戸棚
Ｂ          本発明の第２実施形態にかかる照明付吊り戸棚
Ｃ          公知の照明付吊り戸棚
Ｓ          小物収納部
Ｗ          壁面
１          照明取付板
１１        下面
１２        配線収納部
１２１      カバー
２          照明器具
３          配線
４          仕切空間
５          底板
６          垂下仕切り板
７          棚板
８１        左側板
８２        右側板
９          スライドレール
【図１】
2008000494.tif 000003
【図２】
2008000494.tif 000004
【図３】
2008000494.tif 000005
【図４】
2008000494.tif 000006